(57)【要約】【課題】データ入力する手を休めることなく、バー部材を片手で容易にしかも極めてスムースに移動操作させることができ所望位置に正確に停止することのできるペーパーホルダーを提供する。【解決手段】原稿等のペーパー２をその表面に載置する基板３と、基板側面に沿って手指にて移動自在に配設された移動部材４と、移動部材に取付けられ基板上を横方向に延出して基板上の原稿等のペーパーの所望個所に停止し印字あるいは入力個所等を特定する目安となる原稿等のペーパー上を移動自在なバー部材５とからペーパーホルダー１を構成する。基板側部には移動部材の移動方向に沿って延在する帯状のＮ極とＳ極とを移動部材の移動方向と直角方向に並設した固定磁石体を備えたガイド部材７を配設し、かつ移動部材には固定磁石体のＮ極とＳ極とにそれぞれ吸着すべくＳ極とＮ極とを着磁した移動磁石体を固定磁石体に相対向して備える。【選択図】　　　図１
2004033608.tif 000002
【特許請求の範囲】
【請求項１】
原稿等のペーパーをその表面に載置する基板と、該基板側面に沿って手指にて移動自在に配設された移動部材と、該移動部材に取付けられ前記基板上を横方向に延出して基板上の原稿等のペーパーの所望個所に停止し印字あるいは入力個所等を特定する目安となる原稿等のペーパー上を移動自在なバー部材とからなるペーパーホルダーにおいて、基板側部には移動部材の移動方向に沿って延在する帯状のＮ極とＳ極とを移動部材の移動方向と直角方向に並設してなる固定磁石体を配設し、かつ前記移動部材には前記固定磁石体のＮ極とＳ極とにそれぞれ吸着すべくＳ極とＮ極とを着磁してなる移動磁石体を前記固定磁石体に相対向して備えることにより、バー部材の所望位置への移動に際し前記移動部材は基板側面に沿ってスムースに移動しこれに伴い移動するバー部材は原稿等のペーパーにおける所望位置に正確に停止することを特徴とする原稿等のペーパーホルダー。
【請求項２】
固定磁石体と移動磁石体は、帯状のＮ極とＳ極とを交互に複数並設して着磁してなることを特徴とする請求項１記載のペーパーホルダー。
【請求項３】
移動磁石体には固定磁石体よりの脱落を防止しつつ移動磁石体とともに固定磁石体上を確実に移動する規制部材を備えるとともに、この規制部材は移動磁石体と固定磁石体が吸着している際には基板あるいは固定磁石支持部材等他の一切の構成部材とは未接触状態とすることを特徴とする請求項１記載の原稿等のペーパーホルダー。
【請求項４】
固定磁石体には移動磁石体が固定磁石体よりの脱落を防止する規制部材を備えるとともに、この規制部材は移動磁石体が固定磁石体に吸着している際には移動磁石体を備えてなる移動部材とは非接触状態とすることを特徴とする請求項１記載の原稿等のペーパーホルダー。
【請求項５】
基板側の固定磁石体と移動部材側の移動磁石体との当接面の一方若しくは双方には、摩擦を低減する滑走材を配設、若しくは滑りやすい加工処理を施すことを特徴とする請求項１記載の原稿等のペーパーホルダー。
【請求項６】
基板上に載置支持されたペーパーを着脱する際に障害とならないよう、バー部材は移動部材に対し基板面から離間する方向に回動自在とすることを特徴とする請求項１記載の原稿等のペーパーホルダー。
【請求項７】
バー部材は、基板面に位置する際に移動部材との間で磁着吸引して基板面側に押動付勢されるべく、バー部材と移動部材との連結部間に互いに吸着する磁石を配設することを特徴とする請求項６記載の原稿等のペーパーホルダー。
【発明の詳細な説明】
【０００１】
【発明の属する技術分野】
本発明は、タイプライター、ワープロ、コンピュータ等の入力操作を行う際に原稿を見やすく立てて保持するために机やテーブルの上に載置して用いる書見台のごとき形状からなる原稿等のペーパーホルダーに係り、特に原稿における印字あるいは入力せんとする所望個所を指し示すバー部材を手指でスムースに上下動させかつ所望位置で確実にバー部材を停止させることができる原稿等のペーパーホルダーに関する。
【０００２】
【従来の技術】
従来、書見台風でバー部材を備えてなるペーパーホルダーとしては、図６に示すごとく、立設する基板５１と、その側部に係合して上下動する移動部材５２と、この移動部材５２に基端部が固定され基板５１上を左右方向に横断する横長の透明なバー部材５３とから構成されるペーパーホルダー５４が存在している。
【０００３】
そして使用者は、ペーパーホルダー５４の基板５１上部に備えられた狭持部５６に原稿等のペーパー５５をセットし、そのペーパー５５表面にバー部材５３を位置させ、ペーパー５５における印字あるいは入力せんとする所望個所にバー部材５３を停止させる。例えば、原稿に表されたデータを読み進むうちに注目する個所が上から下へと変わると、使用者はその移動変化に従いバー部材５３を下方向に順次移動させてゆくものである。
【０００４】
【発明が解決しようとする課題】
しかしながら、この従来のペーパーホルダー５４にあっては、バー部材５３の移動操作がスムースでなく、使いづらいという問題があった。すなわち、図７に示すごとく、基板５１側部に形成された凹溝５７に、移動部材５２の狭持片５８が狭持する方向に押圧付勢して係合するという摩擦力に依存した構造であり、バー部材５３をスムースに移動させるべく狭持片５８と凹溝５７との間の摩擦力を一定にして好適に保つことは、一般的な成形加工精度を越えるものであり、きわめて困難であった。そして、狭持片５８と凹溝５７との間の摩擦力が弱いと、バー部材５３と移動部材５２がその自重で降下してしまうことから、降下しないようにするためにある程度摩擦力を大きく設定する必要があり、そうすると今度はかなりの力を要することから片手ではバー部材５３をスムースかつ容易に移動操作できなくなり、致し方なくバー部材５３を移動させる都度、データ入力をする手を休めて両手でバー部材５３を移動操作するというきわめて面倒な操作を余儀なくされていた。
またバー部材の移動がスムースに行うことができないことから、バー部材を原稿等のペーパー５５上の所望位置に精度良く正確に移動することも困難であった。
【０００５】
そこで、本発明にあっては、データ入力する手を休めることなく、バー部材を片手で容易にしかも極めてスムースに移動操作させることができ所望位置に正確に停止することのできるペーパーホルダーを提供することを目的とするものである。
【０００６】
【課題を解決するための手段】
前述の目的を達成するため、本発明の原稿等のペーパーホルダーは、原稿等のペーパーをその表面に載置する基板と、該基板側面に沿って手指にて移動自在に配設された移動部材と、該移動部材に取付けられ前記基板上を横方向に延出して基板上の原稿等のペーパーの所望個所に停止し印字あるいは入力個所等を特定する目安となる原稿等のペーパー上を移動自在なバー部材とからなるペーパーホルダーにおいて、基板側部には移動部材の移動方向に沿って延在する帯状のＮ極とＳ極とを移動部材の移動方向と直角方向に並設してなる固定磁石体を配設し、かつ前記移動部材には前記固定磁石体のＮ極とＳ極とにそれぞれ吸着すべくＳ極とＮ極とを着磁してなる移動磁石体を前記固定磁石体に相対向して備えることにより、バー部材の所望位置への移動に際し前記移動部材は基板側面に沿ってスムースに移動しこれに伴い移動するバー部材は原稿等のペーパーにおける所望位置に正確に停止することを特徴とするものである。
【０００７】
また、固定磁石体と移動磁石体は、帯状のＮ極とＳ極とを交互に複数並設して着磁してなることを特徴とするものである。
【０００８】
また、移動磁石体には固定磁石体よりの脱落を防止しつつ移動磁石体とともに固定磁石体上を確実に移動する規制部材を備えるとともに、この規制部材は移動磁石体と固定磁石体が吸着している際には基板あるいは固定磁石支持部材等他の一切の構成部材とは未接触状態とすることを特徴とするものである。
【０００９】
また、固定磁石体には移動磁石体が固定磁石体よりの脱落を防止する規制部材を備えるとともに、この規制部材は移動磁石体が固定磁石体に吸着している際には移動磁石体を備えてなる移動部材とは非接触状態とすることを特徴とするものである。
【００１０】
また、基板側の固定磁石体と移動部材側の移動磁石体との当接面の一方若しくは双方には、摩擦を低減する滑走材を配設、若しくは滑りやすい加工処理を施すことを特徴とするものである。
【００１１】
また、基板上に載置されたペーパーを着脱する際に障害とならないよう、バー部材は移動部材に対し基板面から離間する方向に回動自在とすることを特徴とするものである。
【００１２】
また、バー部材は、基板面に位置する際に移動部材との間で磁着吸引して基板面側に押動付勢されるべく、バー部材と移動部材との連結部間に互いに吸着する磁石を配設することを特徴とするものである。
【００１３】
【発明の実施の形態】
図１は、本発明の原稿等のペーパーホルダーの第１の実施例を示し、図中１は書見台のごとき形状のペーパーホルダーであり、原稿等のペーパー２を着脱自在に保持して立設する基板３と、その側部に係合して上下動する移動部材４と、この移動部材４に基端部が固定され基板３上を左右方向に横断する横長の透明（不透明でも可）なバー部材５とから構成されている。６は、ペーパー２を着脱自在に狭持すべく基板３の上部に備えられた狭持部材、７は基板３側部に一体的に配設され移動部材４をガイドするガイド部材である。
【００１４】
前記移動部材４は、ガイド部材７に沿って上下動自在に移動するが、その構造は従来のペーパーホルダーにおける狭持片と凹溝との間の摩擦力を利用するものではなく、磁石による吸着力を利用するという新しいものである。すなわちガイド部材７には、図２に示すごとく、移動部材４の移動方向に沿って縦に延在する帯状（幅径が２〜４ｍｍ）のＮ極とＳ極を、移動部材４の移動方向と直角方向（横方向）に複数並設して着磁してなる固定磁石体８を配設する。これに対し、移動部材４には、固定磁石体８と吸着すべくＳ極とＮ極を同一ピッチで複数並設して着磁した移動磁石体９を相対向して配設する。
【００１５】
また、ガイド部材７の固定磁石体８の表面（若しくは移動磁石体９の表面又はこれら双方の表面）には、吸着する移動磁石体９を滑らかに移動させるための摩擦係数の小さい滑走シート１０を貼着する。この滑走シート以外にも、摩擦係数を小さくする表面処理加工やコーティング処理等を施してもよいものである。
【００１６】
このように移動磁石体９と固定磁石体８を吸着させる構成とすることで、図３に示すごとく、固定磁石体８のＮ極とＳ極に対し、移動磁石体９のＳ極とＮ極が相対向して左右方向にずれることなく吸着しつつ、上下方向には摺動移動自在となるものである。移動磁石体９を左右方向に付勢する力が作用した場合には、磁石の位置ズレした部分で重なるＮ極同志、Ｓ極同志がそれぞれ反発することから左右方向への移動は常に抑制され、それでもさらに左右方向に付勢すると移動部材４の両側に一体的に形成された規制部材１１がガイド部材７に当接して移動が阻止される。また、この規制部材１１は、ガイド部材７の両側を間隙を設けてコ字形状に囲繞することから、移動磁石体９が固定磁石体８に吸着している際には、移動部材４はガイド部材７の両側に接触することなくスムースに移動することができるとともに、固定磁石体８から脱落させる付勢力が移動部材４に加わった場合でも、規制部材１１がガイド部材７の両側に当接して移動部材４の固定磁石体８からの脱落を阻止するものである。
【００１７】
また、特に図示しないが、固定磁石体８から移動磁石体９が脱落することを防止するための規制部材は、移動磁石体９でなく固定磁石体８側に形成してもよく、この場合でも前述と同様の効果を発揮することができる。
【００１８】
図４は、移動部材４とバー部材５の関係を示しており、バー部材５の基端部は移動部材４と丁番１２を介して回動自在に取付けられるとともに、図４に示す状態で常にペーパー２を押圧付勢するようにバー部材５側の磁石１３と移動部材４側の磁石１４とが僅かな間隙を設けた状態で互いに吸着している。これは、バー部材５側の磁石１３と移動部材４側の磁石１４とを当接させた場合には、バー部材５の先端が基板３から浮いてペーパー２を狭持できなくなる恐れがあるためである。そして、このような構成としたことから、バー部材５は基板３に近付いたときだけ吸着付勢され、バー部材５の把手１５を操作して丁番１２を支点として回動させた場合には、磁石同志の吸着作用はすぐになくなって、バネのごとき付勢力を受けることなく回動自在とすることができる。これにより、基板３に対してペーパー２を容易に着脱することができるものである。
【００１９】
図５は、本発明の原稿等のペーパーホルダーの第２の実施例を示し、本実施例のペーパーホルダー１６にあっては、前述した第１の実施例では平板状であった基板３を、凹曲面状にした湾曲基板１７を用いるものである。そして、この湾曲基板１７の側部にはその曲線に沿って湾曲したガイド部材１８を配設するとともに、ガイド部材１８には、移動部材４の移動方向に沿って縦に湾曲して延在する帯状のＮ極とＳ極を、移動部材４の移動方向と直角方向（横方向）に複数並設して着磁した固定磁石体１９を配設している。このように、固定磁石体１９をどのように湾曲させた場合であっても、移動磁石９は容易に吸着してガイドされることから、前述した第１の実施例と同じ構成の移動部材４にてスムースに移動することができるものである。
【００２０】
このような湾曲基板１７を用いるペーパーホルダー１６にあっては、狭持したペーパー２の下方部の表示が、上方向に向いて使用者にとって見やすくなることからより一層使いやすいものとなる。凹溝を狭持片が押圧付勢する摩擦力に依存した従来のペーパーホルダーにあっては、狭持片が凹溝を摺動移動する仕方が表面と裏面とでは異なることから、このような湾曲した個所での移動部材の摺動移動はスムースに行えなかったのであるが、本発明のペーパーホルダー１６にあっては摩擦力に依存せずに移動部材４が移動することから、きわめて良好に移動部材４を移動させることができるものである。
【００２１】
尚、上述した実施例にあっては、固定磁石体と移動磁石体の着磁形態としては、Ｎ極とＳ極を帯状に交互に複数着磁する構成について説明したが、これ以外にも最低限Ｎ極とＳ極とを１極ずつとした場合であってもほぼ同等の効果が得られるものである。
【００２２】
【発明の効果】
以上詳述の如く、原稿等の所望位置を指し示すバー部材の移動に際し磁石を利用した本発明の原稿等のペーパーホルダーによれば、原稿等のペーパーをその表面に載置する基板と、該基板側面に沿って手指にて移動自在に配設された移動部材と、該移動部材に取付けられ前記基板上を横方向に延出して基板上の原稿等のペーパーの所望個所に停止し印字あるいは入力個所等を特定する目安となる原稿等のペーパー上を移動自在なバー部材とからなるペーパーホルダーにおいて、基板側部には移動部材の移動方向に沿って延在する帯状のＮ極とＳ極とを移動部材の移動方向と直角方向に並設してなる固定磁石体を配設し、かつ前記移動部材には前記固定磁石体のＮ極とＳ極とにそれぞれ吸着すべくＳ極とＮ極とを着磁してなる移動磁石体を前記固定磁石体に相対向して備えることにより、バー部材を原稿等における所望個所に移動する際には、移動部材は基板側面に沿ってスムースに移動し、これに伴い移動するバー部材は原稿等のペーパーにおける所望位置に正確に停止することができる。
したがって、バー部材を備えてなる移動部材を原稿を載置する基板側面に移動自在に係合させる形態からなる従来技術の如く、バー部材の移動をスムースに行うことができず両手を要する等バー部材の移動操作に手間がかかり、かつ位置設定も不正確とならざるを得ないこの種原稿等のペーパーホルダ―の致命的な諸欠点を全て解決することができる。
【００２３】
また、固定磁石体と移動磁石体は、帯状のＮ極とＳ極とを交互に複数並設して着磁することで、移動磁石体が固定磁石体に対して横方向へ位置ズレした場合の磁石相互の反発力が増すことから、固定磁石体に対する移動磁石体の横方向の位置がより正確に設定される。
【００２４】
また、移動磁石体には固定磁石体よりの脱落を防止しつつ移動磁石体とともに固定磁石体上を確実に移動する規制部材を備えるとともに、この規制部材は移動磁石体と固定磁石体が吸着している際には基板あるいは固定磁石支持部材等他の一切の構成部材とは未接触状態とすることで、移動磁石体を固定磁石体から脱落させるような付勢力が加わった場合でも移動部材は規制部材に規制されて脱落することなく常に所定の位置関係でガイドされ続けるとともに、通常状態では移動部材は基板あるいは固定磁石支持部材等他の一切の構成部材に触れることなくスムースに移動することができる。
【００２５】
また、固定磁石体には移動磁石体が固定磁石体よりの脱落を防止する規制部材を備えるとともに、この規制部材は移動磁石体が固定磁石体に吸着している際には移動磁石体を備えてなる移動部材とは非接触状態とすることで、移動磁石体を固定磁石体から脱落させるような付勢力が加わった場合でも移動部材は規制部材に規制されて脱落することなく常に所定の位置関係でガイドされ続けるとともに、通常状態では移動部材は規制部材に触れることなくスムースに移動することができる。
【００２６】
また、基板側の固定磁石体と移動部材側の移動磁石体との当接面の一方若しくは双方には、摩擦を低減する滑走材を配設、若しくは滑りやすい加工処理を施すことで、移動磁石体は固定磁石体と吸着しつつも基板面に沿ってスムースに移動することができるものである。
【００２７】
また、バー部材は、基板面に位置する際に移動部材との間で磁着吸引して基板面側に押動付勢されるべく、バー部材と移動部材との連結部間に互いに吸着する磁石を配設することで、バー部材を回動してペーパーを容易に着脱することができ、さらにバー部材を大きく回動させた場合にバネのごとき反発する付勢力が働くことなく、バー部材の回動が容易に行えるものである。
【図面の簡単な説明】
【図１】本発明の原稿等のペーパーホルダーの第１の実施例を示す正面図である。
【図２】本発明の原稿等のペーパーホルダーの第１の実施例におけるガイド部材と移動部材を示す説明図である。
【図３】本発明の原稿等のペーパーホルダーの第１の実施例におけるガイド部材と移動部材を示す説明図である。
【図４】本発明の原稿等のペーパーホルダーの第１の実施例における移動部材とバー部材を示す説明図である。
【図５】本発明の原稿等のペーパーホルダーの第２の実施例を示す斜視図である。
【図６】従来の原稿等のペーパーホルダーの正面図である。
【図７】従来の原稿等のペーパーホルダーの要部断面図である。
【符号の説明】
１　原稿等のペーパーホルダー
２　ペーパー
３　基板
４　移動部材
５　バー部材
６　狭持部材
７　ガイド部材
８　固定磁石体
９　移動磁石体
１０　滑走シート
１１　規制部材
１２　丁番
１３　磁石
１４　磁石
１５　把手
１６　原稿等のペーパーホルダー
１７　湾曲基板
１８　ガイド部材
１９　固定磁石体
【図１】
2004033608.tif 000003
【図２】
2004033608.tif 000004
【図３】
2004033608.tif 000005
【図４】
2004033608.tif 000006
【図５】
2004033608.tif 000007
【図６】
2004033608.tif 000008
【図７】
2004033608.tif 000009